(57)【要約】【課題】  カメラ、オーディオプレーヤ機能を兼備する携帯機器において、ユーザが撮影した静止画を音楽再生時に再生するために、事前に音楽ファイルに静止画を関連付ける作業を不要とする記録再生装置を提供する。【解決手段】  ユーザが再生指定した音楽ファイル（１０４）に関連する音楽静止画関連情報（１０３）を読み、第１の静止画ファイル群（１０５）に関連付けられている場合には、第１の静止画ファイル群（１０５）の中から該当する静止画を音楽静止画関連情報（１０３）に従って再生し、第１の静止画ファイル群（１０５）に関連付けられていない場合には、事前にユーザが撮影した第２の静止画ファイル群（１０６）内の任意のファイルを再生する。【選択図】  図１
2006067269.tif 000002
【特許請求の範囲】
【請求項１】
着脱可能な半導体メモリカードに音楽ファイルと静止画ファイルを格納する記録再生機器であって、前記半導体メモリカードには当該音楽ファイルと、当該音楽ファイルに関連付けられた第１の静止画ファイル群と、当該音楽ファイルとは関連付けられていない第２の静止画ファイル群と、前記音楽ファイルと当該第１の静止画ファイル群を関連付ける音楽静止画関連情報が記録され、
前記半導体メモリカードと、
撮影レンズと、
前記撮影レンズからの入射光を電気信号に変換する撮像素子と、
前記撮像素子からの電気信号を処理して静止画を作成し、前記第２の静止画ファイル群の静止画として記録する静止画記録手段と、
音楽ファイルを再生する音楽再生手段と、
静止画ファイルを再生する静止画再生手段と、
静止画を表示するための表示画面を具備し、音楽ファイルの再生時に該当する音楽静止画関連情報を読み、第１の静止画ファイル群に関連付けられた静止画ファイルが存在する場合、第１の静止画ファイル群より該当する静止画を選択して前記静止画再生手段により前記表示画面に表示し、第１の静止画ファイル群に関連付けられた静止画ファイルが存在しない場合、第２の静止画ファイル群より任意の静止画を選択して前記静止画再生手段により前記表示画面に表示することを特徴とする記録再生機器。
【請求項２】
前記選択された第２の静止画ファイルが同ファイル内に主画像に加えてサムネイル画像を有しているか判定するサムネイル画像判定手段をさらに具備し、当該サムネイル画像判定手段がサムネイルが存在すると判断した場合にサムネイル画像を表示することを特徴とする請求項１に記載の記録再生機器。
【請求項３】
前記第２の静止画ファイル群より一定の時間間隔でファイルを選択するファイル選択手段を具備し、ファイル選択手段によって選択された静止画ファイルから静止画再生手段により静止画を生成し、表示画面に表示することを特徴とする請求項１および請求項２の何れかに記載の記録再生機器。
【請求項４】
前記音楽ファイルの再生時間をＬとし、一定の時間間隔をＴとし、音楽ファイルの再生時間Ｌの間に表示する枚数をＮ（Ｎは１以上の自然数）とした時に、Ｔ＝Ｌ／Ｎであることを特徴とする請求項３に記載の記録再生機器。
【請求項５】
前記ファイル選択手段は、ファイル名の順番でファイルを選択することを特徴とする請求項３および請求項４の何れかに記載の記録再生機器。
【請求項６】
前記ファイル選択手段は、擬似乱数を用いてランダムにファイルを選択することを特徴とする請求項３および請求項４の何れかに記載の記録再生機器。
【請求項７】
前記ファイル選択手段は、第２の静止画ファイル群のファイル数が全表示枚数より少ない場合、一度選択したファイルであっても、再度選択することを特徴とする請求項３および請求項４の何れかに記載の記録再生機器。
【請求項８】
前記静止画ファイルは、ＳＤ（Ｓｅｃｕｒｅ  Ｄｉｇｉｔａｌ）  Ａｕｄｉｏ規格におけるＰＯＢ（Ｐｉｃｔｕｒｅ  Ｏｂｊｅｃｔ  ）であり、第２の静止画ファイルは、ＤＣＦ（Ｄｅｓｉｇｎ  ｒｕｌｅ  ｆｏｒ  Ｃａｍｅｒａ  Ｆｉｌｅ  Ｓｙｓｔｅｍ）規格に準拠したＥｘｉｆ（Ｅｘｃｈａｎｇｅａｂｌｅ  ｉｍａｇｅ  ｆｉｌｅ  ｆｏｒｍａｔ）形式の静止画ファイルであることを特徴とする請求項１乃至請求項７の何れかに記載の記録再生機器。
【請求項９】
請求項１乃至請求項７の何れかに記載の記録再生機器において、各手段の機能の全部または一部をマイクロプロセッサに実行させるためのプログラムを格納したことを特徴とするプログラム記録媒体。
【発明の詳細な説明】
【技術分野】
【０００１】
本発明は、撮影された静止画を半導体メモリカードに記録する静止画記録機能と、記録された静止画を再生表示する静止画再生機能と、半導体メモリカードに記録された音楽ファイルを再生するためのオーディオプレーヤ機能を兼備する記録再生機器に関する。
【背景技術】
【０００２】
携帯オーディオプレーヤに関する規格の一つであるＳｅｃｕｒｅ  Ｄｉｇｉｔａｌ（以下、「ＳＤ」と略称）Ａｕｄｉｏ規格では、音楽に関連する静止画（例えば、歌詞やアーティストの画像や、背景画など）を音楽の再生時に表示することができる技術（特許文献１）が提案されている。同技術によれば、Ａｕｄｉｏ  Ｏｂｊｅｃｔ（以下、「ＡＯＢ」と略称）の管理情報であるＴｒａｃｋ  Ｇｅｎｅｒａｌ  Ｉｎｆｏｒｍａｔｉｏｎ（以下、「ＴＫＧＩ」と略称）とは、Ｄｅｆａｕｌｔ  Ｐｌａｙｌｉｓｔ  Ｇｅｎｅｒａｌ  Ｉｎｆｏｒｍａｔｉｏｎ（以下、「ＤＰＬＧＩ」と略称）およびＰｌａｙｌｉｓｔ  Ｇｅｎｅｒａｌ  Ｉｎｆｏｒｍａｔｉｏｎ（以下、「ＰＬＧＩ」と略称）にＡＯＢとＰｉｃｔｕｒｅ  Ｏｂｊｅｃｔ（ＰＯＢ）を関連付けるための情報をそれぞれ持つ。
【０００３】
図２に、従来技術による音楽ファイルと静止画ファイルの関連を示す。ＰＬＭＧ２０１は、Ｐｌａｙｌｉｓｔ  Ｍａｎａｇｅｒと呼ばれるＳＤ＿ＡＵＤＩＯ．ＰＬＭファイル（図３参照）である。ＰＬＭＧ２０１は、Ｐｌａｙｌｉｓｔ  Ｍａｎａｇｅｒ  Ｉｎｆｏｒｍａｔｉｏｎ（以下、「ＰＬＭＧＩ」と略称（図示せず））と、Ｄｅｆａｕｌｔ  Ｐｌａｙｌｉｓｔ  Ｉｎｆｏｒｍａｔｉｏｎ（以下、「ＤＰＬＩ」と略称）２０２と、複数のＰｌａｙｌｉｓｔ  Ｉｎｆｏｒｍａｔｉｏｎ（以下、「ＰＬＩ」と略称）２０３で構成される。ＰＬＭＧＩは半導体メモリカードに格納されているプレイリストに関する情報を管理し、ＤＰＬＩ２０２は同カードに格納されるデフォルトプレイリスト（全トラック）を管理し、ＰＬＩ２０３（ＰＬＩ＃１〜＃ｎ）はユーザ定義のプレイリスト（ユーザ指定のトラック）を管理するための情報である。
【０００４】
ＤＰＬＩ２０２は、デフォルトプレイリストの全体情報を管理するＤＰＬＧＩ２０４と、９９９個までのＤｅｆａｕｌｔ  Ｐｌａｙｌｉｓｔ  Ｔｒａｃｋ  Ｓｅａｒｃｈ  Ｐｏｉｎｔｅｒ（以下、「ＤＰＬ＿ＴＫ＿ＳＲＰ」と略称（図２において、符号２０５〜２０７を附して表示））を有する。
【０００５】
ＤＰＬＧＩ２０４は、ＤＰＬＩ２０２を一意に識別できるＤＰＬＩ＿ＩＤフィールドと、ＤＰＬＩから参照されるトラック数を示すＤＰＬＩ＿ＴＫ＿Ｎｓフィールドと、デフォルトプレイリストから参照されるすべてのトラックの再生時間の総和がミリ秒単位で記述されるＤＰＬＩ＿ＰＢ＿ＴＭフィールドと、ＤＰＬＩ＿ＰＯＢ＿ＡＴＲフィールドと、ＰＯＢを指すための６０個のＤＰＬＩ＿ＰＯＢ＿ＳＲＰフィールドで構成される。なお、図２においては、ＤＰＬＩ＿ＰＯＢ＿ＳＲＰのみ図示している。
【０００６】
ＤＰＬ＿ＴＫ＿ＳＲＰ  ＃１〜＃３（図２において、符号２０５〜２０７を附して表示）は、ＴＫＩ番号ＤＰＬ＿ＴＫＩＮと、「Ｔｒａｃｋ」、「Ｈｅａｄ＿ｏｆ＿Ｔｒａｃｋ」、「Ｍｉｄｄｌｅ＿ｏｆ＿Ｔｒａｃｋ」、および「Ｅｎｄ＿ｏｆ＿Ｔｒａｃｋ」などの属性を示すＤＰＬ＿ＴＫ＿ＡＴＲ（図示せず）で構成される。
【０００７】
ＰＬＩ２０３は、ユーザ定義のプレイリストの全体情報を管理するＰＬＧＩ２０９と、９９個までのＰｌａｙｌｉｓｔ  Ｔｒａｃｋ  Ｓｅａｒｃｈ  Ｐｏｉｎｔｅｒ（以下、「ＰＬ＿ＴＫ＿ＳＲＰ」と略称（図２２１０〜２１１））を持つ。
【０００８】
ＰＬＧＩ２０９は、ＰＬＩ２０３を一意に識別できるＰＬＩ＿ＩＤフィールドと、ＰＬＩ２０３から参照されるトラック数を示すＰＬＩ＿ＴＫ＿Ｎｓフィールド（最大９９個）と、プレイリストから参照される全てのトラックの再生時間の総和がミリ秒単位で記述されるＰＬＩ＿ＰＢ＿ＴＭフィールドと、ＰＬＩ＿ＰＯＢ＿ＡＴＲフィールドと、ＰＯＢを指すための２０個のＰＬＩ＿ＰＯＢ＿ＳＲＰフィールド２１２で構成される。なお、図２においては、紙面の都合上、ＰＬＩ＿ＰＯＢ＿ＳＲＰ２１２のみを示す。
【０００９】
ＴＫＭＧ２１３は、Ｔｒａｃｋ  Ｍａｎａｇｅｒと呼ばれるＳＤ＿ＡＵＤＩＯ．ＴＫＭファイル（図３参照）である。ＴＫＭＧ２１３は、全トラックの詳細情報を管理し、９９９個までのＴｒａｃｋ  Ｉｎｆｏｒｍａｔｉｏｎ（以下、「ＴＫＩ」と略称）で構成される。
【００１０】
ＴＫＩ＃１〜＃３（図２において、符号２１４〜２１６を附して表示）は、ＡＯＢファイルに収録されているＡＯＢを、トラックとして管理するための情報であり、各ＡＯＢファイルに対応している。また、ＴＫＩ＃１〜＃３のそれぞれは、トラック全体情報であるＴｒａｃｋ  Ｇｅｎｅｒａｌ  Ｉｎｆｏｒｍａｔｉｏｎ（ＴＫＧＩ）と、トラック固有のテキスト情報であるＴｒａｃｋ  Ｔｅｘｔ  Ｉｎｆｏｒｍａｔｉｏｎ  Ｄａｔａ  Ａｒｅａ（ＴＫＴＸＴＩ＿ＤＡ）と、タイムサーチテーブルであるＴｒａｃｋ  Ｔｉｍｅ  Ｓｅａｒｃｈ  Ｔａｂｌｅ（以下、「ＴＫＴＭＳＲＴ」と略称）で構成される。
【００１１】
なお、ＴＫＩ＃１〜＃３（図中２１４〜２１６）におけるＰＯＢを指すためのＴＫＩ＿ＰＯＢ＿ＳＲＰ２１７〜２１９は、ＴＫＧＩの一部である。図２には図示していないが、ＴＫＧＩ内のトラック番号ＴＫＩＮで参照先のＡＯＢファイル番号が特定される。すなわち、図２に示す例においては、ＡＯＢ００１．ＳＡ１、ＡＯＢ００２．ＳＡ１、およびＡＯＢ００３．ＳＡ１（図中２２０〜２２２）の数字の部分である「００１」、「００２」、および「００３」が各ＴＫＩのＴＫＩＮに記述されている。音楽を再生する際には、ファイル内のＡＯＢ２２３、２２４、および２２５を再生することになる。
【００１２】
一方、静止画に関連する情報は、ＤＰＬＧＩ２０４内のＤＰＬＩ＿ＰＯＢ＿ＳＲＰ２０８、ＰＬＧＩ２０９内のＰＬＩ＿ＰＯＢ＿ＳＲＰ２１２、ＴＫＩ２１４〜２１６内のＴＫＩ＿ＰＯＢ＿ＳＲＰ２１７〜２１９がある。これらは共通のデータ構造を持ち、その詳細については、図４を参照して後述する。また、図示はしていないが、関連情報として、ＤＰＬＩ＿ＰＯＢ＿ＡＴＲ、ＰＬＩ＿ＰＯＢ＿ＡＴＲ、およびＴＫＩ＿ＰＯＢ＿ＡＴＲをそれぞれ有し、再生時の動作（ランダム再生、シャッフルなど）を規定する。
【００１３】
音楽配信コンテンツの場合、ＤＰＬＩ＿ＰＯＢ＿ＳＲＰ２０８は、ＰＯＢ０２０．ＳＰ１（図２において、符号２２６を附して表示）のようなパッケージ写真やロゴ、背景画などと関連付け、ＴＫＩ＿ＰＯＢ＿ＳＲＰ２１７および２１８はＰＯＢ００１．ＳＰ１、ＰＢＯ００２．ＳＰ１（図２において、符号２２７および２２８を附して表示）のようなトラック毎の歌詞カードを関連付けている。
【００１４】
また、ユーザ操作により、ＰＯＢ０３０．ＪＰＧ（図２にお８いて、符号２２９を附して表示）のような個人的な写真を関連付けることも可能である。静止画再生時には、これらのファイル内のＰＯＢ２３０〜２３３を再生／表示することになる。
【００１５】
図３を用いて、図２で説明されたファイルを含む半導体メモリカードにおけるディレクトリ／ファイル構成について説明する。図３の（ａ）に、ＳＤ＿ＡＵＤＩＯにおけるユーザ領域のディレクトリ／ファイル構成の一例を示す。同図において、符号３０１はルートディレクトリを示し、符号３０２はＳＤ＿ＡＵＤＩＯディレクトリを示し、３０３は管理情報ＰＬＭＧを含むＳＤ＿ＡＵＤＩＯ．ＰＬＭを示し、符号３０４は管理情報ＴＫＧＭを含むＳＤ＿ＡＵＤＩＯ．ＴＫＭを示す。さらに、符号３０５および３０６は、それぞれ、音楽ファイルＡＯＢ００１．ＳＡ１および、ＡＯＢｘｘｘ．ＳＡ１（ｘｘｘは００１〜９９９までの整数）を示す。同様に符号３０７および３０８は、それぞれ、静止画（歌詞カード）ＰＯＢ００１．ＳＰ１、およびＰＯＢ０１９．ＳＰ１を示す。
【００１６】
符号３０９および３１０は、静止画（パッケージ写真やロゴ、アーティストの写真など）ＰＯＢ０２０．ＳＰ１およびＰＯＢ０２９．ＳＰ１を示す。符号３１１および３１２は、それぞれ、静止画（個人的な写真）ＰＯＢ０３０．ＪＰＧおよびＰＯＢ０３９．ＪＰＧを示す。符号３１３は、ＰＯＢの管理情報（Ｐｉｃｔｕｒｅ  Ｏｂｊｅｃｔ  Ｍａｎａｇｅｒ（以下、「ＰＯＢＭＧ」と略称））ファイルＰＯＢ０００．ＰＯＭを示す。同ファイルはＰＯＢの数や参照数を管理する。オプションであり、存在しなくてもかまわない。
【００１７】
なお、本明細書においては、上述のように図面において、それぞれ符号で示された各要素に関して、名称と符号とが紛らわしく両者の区別が困難な場合には、誤解を招くおそれを避けるために、符号を省略して名称のみ、或いは名称を省略して符号のみにて言及するものとする。ＳＤ＿ＡＵＤＩＯ３０２ディレクトリ内に管理情報ＳＤ＿ＡＵＤＩＯ．ＰＬＭ３０３、ＳＤ＿ＡＵＤＩＯ＿ＴＫＭ３０４によって関連付けられる音楽ファイル３０５〜３０６と静止画ファイル３０７〜３１２が記録されている。なお、ＰＯＢファイルの詳細については、後ほど図５を参照して詳述する。
【００１８】
また、図３の（ｂ）に、デジタルカメラで静止画記録時に使用されるＪＥＩＤＡ（Ｊａｐａｎ  Ｅｌｅｃｔｒｏｎｉｃ  Ｉｎｄｕｓｔｒｙ  Ｄｅｖｅｌｏｐｍｅｎｔ  Ａｓｓｏｃｉａｔｉｏｎ）のＤｅｓｉｇｎ  ｒｕｌｅｓ  ｆｏｒ  ｃａｍｅｒａ  ｆｉｌｅ  ｓｙｓｔｅｍ（以下、「ＤＣＦ」と略称）規格準拠（非特許文献１）のディレクトリ／ファイル構成の一例を示す。
【００１９】
同図において、符号３１４はルートディレクトリを示し、符号３１５はＤＣＩＭ（Ｄｉｇｉｔａｌ  Ｃａｍｅｒａ  ＩＭａｇｅｓ）ディレクトリを示し、符号３１６は、”１００ＸＸＸＸＸ”ディレクトリ（ＸＸＸＸＸは５文字の自由文字）を示している。さらに、符号３１７および３１８は、それぞれ、静止画ファイルＡＡＡＡ０００１．ＪＰＧおよびＡＡＡＡｘｘｘｘ．ＪＰＧ（ＡＡＡＡは４文字の自由文字、ｘｘｘｘは０００１〜９９９９までの整数）を示している。
【００２０】
ＤＣＦ規格では、ＤＣＦイメージルートディレクトリであるＤＣＩＭディレクトリ３１５の直下に静止画ファイルなどのＤＣＦオブジェクトを格納するための複数のＤＣＦディレクトリ３１６が置かれる。ＤＣＦディレクトリ名は、１００〜９９９までのディレクトリ番号（”１００ＸＸＸＸＸ”、ディレクトリ３１６では１００がディレクトリ番号にあたる）と５文字の自由文字からなる。自由文字は、実際には”１００＿ＰＡＮＡ”などとなる。同様に、ＤＣＦファイル名における自由文字は”ＩＭＧＡ０００１．ＪＰＧ”などとなる。
【００２１】
図４を参照して、図２に示したＤＰＬＩ＿ＰＯＢ＿ＳＲＰ２０８、ＰＬＩ＿ＰＯＢ＿ＳＲＰ２１２、およびＴＫＩ＿ＰＯＢ＿ＳＲＰ２１７〜２１９のデータ構造について説明する。ＤＰＬＩ＿ＰＯＢ＿ＳＲＰ２０８、ＰＬＩ＿ＰＯＢ＿ＳＲＰ２１２、およびＴＫＩ＿ＰＯＢ＿ＳＲＰ２１７〜２１９は共通のデータ構造を持つ。（以下、「ｂ」はビットを表す。数字の後に「ｈ」が附されている場合は１６進数であることを示し、「ｈ」が附されていない場合は１０進数であることを示す。）
【００２２】
ｂ３１〜ｂ２６はｒｅｓｅｒｖｅｄであり、ｂ２５〜ｂ１６はＰＯＢ  Ｎｏ．４０１である。ｂ１５〜ｂ１２はｒｅｓｅｒｖｅｄであり、ｂ１１〜ｂ０８はＮｕｍｂｅｒ  Ｏｆ  Ｐｉｘｅｌｓ４０２である。ｂ０７〜ｂ０６は、Ｈｕｆｆｍａｎ  Ｔａｂｌｅ４０３であり、ｂ０５〜ｂ０４はＣｈｒｏｍｉｎａｎｃｅ  Ｓａｍｐｌｉｎｇ４０４であり、ｂ０３〜ｂ００はＰｉｃｔｕｒｅ  Ｃｏｄｉｎｇ  Ｍｏｄｅ４０５である。
【００２３】
ＰＯＢ  Ｎｏ．４０１は、００１〜９９９の数字でＰＯＢファイルを指定する。関連付けられているＰＯＢがない場合には、０（’０００ｈ’）とする。Ｎｕｍｂｅｒ  Ｏｆ  Ｐｉｘｅｌｓ４０２は、画像サイズを表し、００００ｂが９６ｘ９６（推奨）、０００１ｂが６４０ｘ４８０（推奨）、００１０ｂが１６０ｘ１２０〜１８００ｘ１２００（オプション）、それ以外の値はｒｅｓｅｒｖｅｄである。Ｈｕｆｆｍａｎ  Ｔａｂｌｅ４０３は、００ｂがＴｙｐｉｃａｌ  Ｔａｂｌｅであり、それ以外の値は、ｒｅｓｅｒｖｅｄである。
【００２４】
Ｃｈｒｏｍｉｎａｎｃｅ  Ｓａｍｐｌｉｎｇ４０４は、００ｂが４：２：２を示し、０１ｂが４：２：０を示し、それ以外の値はｒｅｓｅｒｖｅｄである。Ｐｉｃｔｕｒｅ  Ｃｏｄｉｎｇ  Ｍｏｄｅ４０５は、００００ｂがＪＰＥＧであり、それ以外の値はｒｅｓｅｒｖｅｄである。
以上より、ＰＯＢ  Ｎｏ４０１の値が’０００ｈ’であるかどうかでＰＯＢと関連付けがあるか否かがわかる。また、Ｎｕｍｂｅｒ  Ｏｆ  Ｐｉｘｅｌｓ４０２よりＳＤ  Ａｕｄｉｏ規格でＰＯＢとして扱える最大サイズは１８００ｘ１２００であり、２メガピクセルクラスである。
【００２５】
図５に、図２および図３を参照して説明したＰＯＢファイルの内部構造を示す。符号５０１はＰＯＢＸＸＸ．ＪＰＧを示し、符号５０２は非暗号化ＰＯＢを示し、符号５０３および符号５０６はＰＯＢＸＸＸ．ＳＰ１を示し、符号５０４および５０７はＰＯＢ＿Ｈを示し、符号５０５は暗号化ＰＯＢを示し、符号５０８は参照先ファイルパスを示し、符号５０９はＰＯＢ＿Ｈの詳細構造を表す表を示し、そして、符号５１０はＰＯＢ＿ＡＴＲビットを示している。
【００２６】
図５（ａ）に示すＰＯＢＸＸＸ．ＪＰＧ５０１（ＸＸＸは００１〜９９９までの整数）は、非暗号化ＰＯＢ５０２であり、すなわち、Ｅｘｉｆ形式（非特許文献）のＪＰＥＧである。
【００２７】
図５（ｂ）に示すＰＯＢＸＸＸ．ＳＰ１（符号５０３（ＸＸＸは００１〜９９９までの整数））は、ＰＯＢ  Ｈｅａｄｅｒ（以下ＰＯＢ＿Ｈ）５０４と、暗号化ＰＯＢ５０５、すなわち、暗号化されたＥｘｉｆ形式のＪＰＥＧで構成される。ＰＯＢ＿Ｈ５０４は、表５０９に示すように、２バイトのＰＯＢ＿ＩＤ（ＦＦＥ０ｈ）と、１バイトのｒｅｓｅｒｖｅｄと、ＰＯＢＸＸＸ．ＳＰ１内に実体が存在するか否かを示す１バイトのＰＯＢ＿ＡＴＲと、ＰＯＢのデータサイズを示す４バイトのＰＯＢ＿ＳＺで構成される。なお、図５（ｂ）に示すように、暗号化されたＥｘｉｆ形式のＪＰＥＧをＰＯＢＸＸＸ．ＳＰ１内に持つ場合、ＰＯＢ＿ＡＴＲビット５１０は’０ｂ’となる。
【００２８】
図５（ｃ）に示すＰＯＢＸＸＸ．ＳＰ１（符号５０６（ＸＸＸは００１〜９９９までの整数））は、ＰＯＢ＿Ｈ５０７と、ＪＰＥＧの実体の代わりにファイルパスを格納する形で構成される。なお、ＰＯＢ＿Ｈ５０７は、表５０９に示す通りであり、実体を持たず、ファイルパスを格納（例えば、「￥ＤＣＩＭ￥１００＿ＰＡＮＡ￥ＩＭＧＡ００１．ＪＰＧ」のようにファイルパスを記述）する場合、ＰＯＢ＿ＡＴＲビット５１０は’１ｂ’となる。この場合、ＰＯＢファイルを介し、記述されたファイルが間接的に参照される。
【００２９】
上述のように、ＰＯＢファイルは、ＳＤ＿ＡＵＤＩＯディレクトリ直下の音楽配信における暗号化されたＪＰＥＧファイルや非暗号化ＪＰＥＧファイルだけでなく、ユーザがカメラ撮影した静止画ファイルも参照できる。
【００３０】
また、近年、カメラ機能に加え、音楽再生をできるカメラ、あるいは、音楽再生機能とカメラ機能とを備える携帯電話、あるいは、静止画記録および音楽再生に加え、動画記録や音声記録などのマルチな機能を具備する半導体メモリカードを利用したモバイル商品が市場に普及しつつあり、半導体メモリカード内に音楽ファイルと撮影された静止画が含まれるケースは増加傾向にある。
【特許文献１】特許３３２７８９８号公報
【非特許文献１】ＪＥＩＤＡ規格  カメラファイルシステム規格  ＤＣＦ  Ｖｅｒｓｉｏｎ１．０  ＪＥＩＤＡ−４９−２−１９９８
【非特許文献２】ＪＥＩＤＡ規格  ディジタルスチルカメラ画像ファイルフォーマット規格（Ｅｘｉｆ）  Ｖｅｒｓｉｏｎ２．１  ＪＥＩＤＡ−４９−１９９８
【発明の開示】
【発明が解決しようとする課題】
【００３１】
上述のＳＤ  Ａｕｄｉｏ規格に基づいて、音楽に関連する静止画を音楽の再生時に表示することができる技術においては、一度パーソナルコンピュータ（以下、「ＰＣ」と略称）に半導体メモリカードをセットし、専用ソフトウエア上で対象の音楽ファイルと静止画ファイルの関連付け（ＤＰＬＩ＿ＰＯＢ＿ＳＲＰ、ＰＬＩ＿ＰＯＢ＿ＳＲＰ、ＴＫＩ＿ＰＯＢ＿ＳＲＰ）をユーザが指定する必要がある。また、この時、関連付けられる静止画ファイルがＳＤ  Ａｕｄｉｏ規格の範囲外の画素数である場合、規格内の画素数に収まるように変換され、ＳＤ＿ＡＵＤＩＯディレクトリ内にＰＯＢＸＸＸ．ＪＰＧファイルが生成されることもある。
【００３２】
ユーザの中には前記関連付けの作業を非常にわずらわしく思っている者もおり、本発明は、この事前に必要であった関連付けの作業をしなくても、カメラで撮影された静止画を音楽ファイルと同時に再生できる記録再生機器を提供することを目的とする。
この場合、事前に行われていた静止画ファイルの画素数の変換処理がなくなるため、静止画再生処理は巨大な静止画を取り扱わなくてはならない可能性がある。撮像素子の画素数は、いまだ増加傾向にあり、５メガピクセルサイズを超える商品もでてきている。このような場合、静止画再生処理と音楽再生処理を同時に処理するには、携帯型の機器では非力である場合がありうる。本発明は、Ｅｘｉｆ形式の静止画が主画像に加え、サムネイル画像を持つ場合、サムネイル画像を利用して演算処理量を低減することで、処理能力の低い携帯型の機器においても同時再生を実現できるようにすることを目的とする。
さらに、本発明は、関連付け情報が無くてもスライドショーを簡易的に実現できるようにすることを目的とする。また、本発明は、音楽ファイルの再生時間を利用してより見栄えの良いスライドショーを実現できるようにすることを目的とする。
【課題を解決するための手段】
【００３３】
第１の本発明は、着脱可能な半導体メモリカードに音楽ファイルと静止画ファイルを格納する記録再生機器であって、前記半導体メモリカードには当該音楽ファイルと、当該音楽ファイルに関連付けられた第１の静止画ファイル群と、当該音楽ファイルとは関連付けられていない第２の静止画ファイル群と、前記音楽ファイルと当該第１の静止画ファイル群を関連付ける音楽静止画関連情報が記録され、
前記半導体メモリカードと、
撮影レンズと、
前記撮影レンズからの入射光を電気信号に変換する撮像素子と、
前記撮像素子からの電気信号を処理して静止画を作成し、前記第２の静止画ファイル群の静止画として記録する静止画記録手段と、
音楽ファイルを再生する音楽再生手段と、
静止画ファイルを再生する静止画再生手段と、
静止画を表示するための表示画面を具備し、音楽ファイルの再生時に該当する音楽静止画関連情報を読み、第１の静止画ファイル群に関連付けられた静止画ファイルが存在する場合、第１の静止画ファイル群より該当する静止画を選択して前記静止画再生手段により前記表示画面に表示し、第１の静止画ファイル群に関連付けられた静止画ファイルが存在しない場合、第２の静止画ファイル群より任意の静止画を選択して前記静止画再生手段により前記表示画面に表示することを特徴とする記録再生機器。
【００３４】
第２の本発明は、第１の発明において、前記選択された第２の静止画ファイルが同ファイル内に主画像に加えてサムネイル画像を有しているか判定するサムネイル画像判定手段をさらに具備し、当該サムネイル画像判定手段がサムネイルが存在すると判断した場合にサムネイル画像を表示することを特徴とする。
【００３５】
第３の本発明は、第１および第２の発明の何れかにおいて、前記第２の静止画ファイル群より一定の時間間隔でファイルを選択するファイル選択手段を具備し、ファイル選択手段によって選択された静止画ファイルから静止画再生手段により静止画を生成し、表示画面に表示することを特徴とする。
【００３６】
第４の本発明は、第３の発明において、前記音楽ファイルの再生時間をＬとし、一定の時間間隔をＴとし、音楽ファイルの再生時間Ｌの間に表示する枚数をＮ（Ｎは１以上の自然数）とした時に、Ｔ＝Ｌ／Ｎであることを特徴とする。
【００３７】
第５の本発明は、第３および第４の発明の何れかにおいて、前記ファイル選択手段は、ファイル名の順番でファイルを選択することを特徴とする。
【００３８】
第６の本発明は、第３および第４の発明の何れかにおいて、前記ファイル選択手段は、擬似乱数を用いてランダムにファイルを選択することを特徴とする。
【００３９】
第７の本発明は、第３および第４の発明の何れかにおいて、前記ファイル選択手段は、第２の静止画ファイル群のファイル数が全表示枚数より少ない場合、一度選択したファイルであっても、再度選択することを特徴とする。
【００４０】
第８の本発明は、第１乃至第７の発明の何れかにおいて、前記静止画ファイルは、ＳＤ（Ｓｅｃｕｒｅ  Ｄｉｇｉｔａｌ）  Ａｕｄｉｏ規格におけるＰＯＢ（Ｐｉｃｔｕｒｅ  Ｏｂｊｅｃｔ  ）であり、第２の静止画ファイルは、ＤＣＦ（Ｄｅｓｉｇｎ  ｒｕｌｅ  ｆｏｒ  Ｃａｍｅｒａ  Ｆｉｌｅ  Ｓｙｓｔｅｍ）規格に準拠したＥｘｉｆ（Ｅｘｃｈａｎｇｅａｂｌｅ  ｉｍａｇｅ  ｆｉｌｅ  ｆｏｒｍａｔ）形式の静止画ファイルであることを特徴とする。
【００４１】
第８の本発明は、第１乃至第７の発明の何れかにおいて、前記記録再生機器の各手段の機能の全部または一部をマイクロプロセッサに実行させるためのプログラムを格納したことを特徴とするプログラム記録媒体。
【発明の効果】
【００４２】
上記第１の発明においては、音楽静止画関連情報に静止画に関する情報を持たない音楽ファイルであっても、音楽ファイルを再生する際に、ＰＣで事前に音楽と撮影された静止画の関連付け作業をすることなく、何らかの静止画を表示することが可能となる。また、音楽ファイルと静止画が関連付けられていない場合のみ対応することにより、音楽ファイルと静止画が関連付けられている場合には、従来機器と同様の動作をすることができる。つまり、音楽ファイルと静止画ファイル群が関連付けられていない場合でも、半導体メモリカードに記録された第２の静止画ファイル群から任意の静止画ファイルを再生することができ、ユーザは音楽だけでなく、静止画の視聴を楽しむことができる。
【００４３】
上記第２の発明においては、サムネイル画像の有無を判定し、サムネイル画像があると判定した場合、サムネイル画像を表示することにより、演算処理能力が低いため、音楽再生と静止画再生を同時に処理するのが難しい機器であっても、同時再生を実現することができる。
【００４４】
上記第３の発明においては、音楽ファイルを再生しながら、一定の時間間隔でファイル番号順やランダム順に静止画を再生することができる。すなわち簡易的なスライドショーが可能である。
【００４５】
上記第４の発明においては、音楽ファイル単位で音楽ファイルの再生時間（曲長）を均等割りした静止画を表示することができ、よりユーザに見栄えの良いスライドショーを実現できる。
【００４６】
上記第５の発明においては、各手段の機能の全部または一部をマイクロプロセッサに実行させるためのプログラムを格納したことを特徴とするプログラム記録媒体、例えば、フラッシュメモリで提供することができ、プログラムの機能追加やバグ修正といったバージョンアップがフラッシュメモリの書き換えにより容易に実現できる。
【発明を実施するための最良の形態】
【００４７】
（第１の実施形態）
図１において、符号１０１は本発明の形態にかかる記録再生機器を示し、符号１０２は半導体メモリカード（例えばＳＤメモリカード）を示し、符号１０３は音楽静止画関連情報（例えばＤＰＬＩ、ＰＬＩ、ＴＫＩ）を示し、符号１０４は音楽ファイル（＃１〜＃ｎ）を示し、符号１０５は第１の静止画ファイル群を示し、符号１０６は第２の静止画ファイル群を示し、符号１０７は撮影レンズを示し、符号１０８は撮像素子（例えばＣＣＤやＣＭＯＳ）を示し、符号１０９は静止画記録手段（例えばマイクロプロセッサとメモリとＤｉｇｉｔａｌ  Ｓｉｇｎａｌ  Ｐｒｏｃｅｓｓｏｒ（以下ＤＳＰ）および、ＤＳＰのＪＰＥＧエンコードミドルウエア）を示し、符号１１０は音楽再生手段（例えばマイクロプロセッサとメモリとＤＳＰおよびＤＳＰのオーディオデコードミドルウエア）を示し、符号１１１は静止画再生器（例えばマイクロプロセッサとメモリとＤＳＰおよびＤＳＰのＪＰＥＧデコードミドルウエア）を示し、符号１１２は表示画面（例えば液晶）を示す。
【００４８】
なお、静止画記録器１０９、音楽再生器１１０、および静止画再生器１１１のそれぞれで使用されるメモリが同一のメモリ上に各領域が割り当てられたものでもかまわないし、ＤＳＰやマイクロプロセッサを共用してもかまわない。
【００４９】
半導体メモリカード１０２は、記録再生機器１０１から着脱可能なものとし、音楽ファイルを記録する際は、ＰＣ上で音楽ファイルと静止画ファイルを関連付ける音楽静止画関連情報１０３と、音楽ファイル１０４と、音楽ファイル１０４に関連付けられた静止画ファイル群１０５とを記録する。すなわち、図３（ａ）に示したＳＤ＿ＡＵＤＩＯディレクトリ３０２下に音楽静止画関連情報１０３を含むＳＤ＿ＡＵＤＩＯ．ＰＬＭ３０３とＳＤ＿ＡＵＤＩＯ．ＴＫＭ３０４を記録し、音楽ファイルＡＯＢ００１．ＳＡ１〜ＡＯＢｘｘｘ．ＳＡ１（ｘｘｘは図１においてｎである整数（符号３０５〜３０６））を記録し、関連付けられた静止画ファイル群（ＰＯＢ００１．ＳＰ１〜ＰＯＢ０３９．ＪＰＧ（符号３０７〜３１３））を記録する。
【００５０】
なお、静止画ファイル群１０５に関連付けられていない場合は、ＤＰＬＩ＿ＰＯＢ＿ＳＲＰ２０８、ＰＬＩ＿ＰＯＢ＿ＳＲＰ２１２、ＴＫＩ＿ＰＯＢ＿ＳＲＰ２１７〜２１９のＰＯＢ  Ｎｏ．４０１が’０００ｈ’となる。
【００５１】
一方、静止画を撮影（記録）する際は、撮影レンズ１０７より入射された光を撮像素子１０８にて電気信号に変換し、静止画記録器１０９にて信号処理の後、生成される静止画ファイルを第２のファイル群の静止画として半導体メモリカード１０２に記録する。すなわち、図３（ｂ）に示したＤＣＦイメージルートディレクトリ（ＤＣＩＭディレクトリ３１５）下のＤＣＦディレクトリ（”１００ＸＸＸＸＸ”ディレクトリ３１６：ＸＸＸＸＸは５文字の自由文字（例えば”＿ＰＡＮＡ”））下に静止画ファイルＡＡＡＡ０００１．ＪＰＧ〜ＡＡＡＡｘｘｘｘ．ＪＰＧ（符号３１７〜３１８）を記録する。なお、ＡＡＡＡは４文字の自由文字（例えば”ＩＭＧＡ”）であり、ｘｘｘｘは０００１〜９９９９までの整数である。
【００５２】
以上、音楽記録および静止画記録により、第１の静止画ファイル群、および第２の静止画ファイル群が半導体メモリカード内に存在することになる。この状態で音楽再生を行う際に、静止画ファイルと関連付けられた音楽ファイル（例えばＴＫＩ＿ＰＯＢ＿ＳＲＰ２１７のＰＯＢ  Ｎｏ．が’００１ｈ’）の再生をユーザが選択した時には、ＰＯＢ００１．ＳＰ１（図中２１７）を半導体メモリカード１０２から読み出し、静止画再生器１１１でデコードし、表示画面１１２に表示する。なお、この場合における静止画ファイルの表示の仕方については、特許文献１記載の通りであり、本発明では言及しない。
【００５３】
一方、ユーザが選択した音楽ファイルが静止画ファイル群１０５と関連付けられたファイルがない場合、第２の静止画ファイル群１０６（ＡＡＡＡ０００１．ＪＰＧ〜ＡＡＡＡｘｘｘｘ．ＪＰＧ（符号３１７〜３１８））から任意の１ファイルを選択し、半導体メモリカード１０２から読み出し、静止画再生器１１１でデコードし、表示画面１１２に表示する。
【００５４】
ファイルの表示の仕方については、図８を用いて後述する。なお、第２の静止画ファイル群１０６が存在しない場合、すなわち、ＤＣＦイメージルートディレクトリ（ＤＣＩＭディレクトリ３１５）が存在しない場合、または、ＤＣＦイメージルートディレクトリ下にＤＣＦディレクトリ（”１００ＸＸＸＸＸ”ディレクトリ３１６）が存在しない場合、あるいはＤＣＦディレクトリ下に静止画が存在しない場合には、静止画を表示せず、音楽のみ再生するものとする。
【００５５】
以上により、音楽ファイルと静止画ファイルが関連付けられていない場合であっても、第２の静止画ファイル群より静止画を表示することができ、ユーザは事前の関連付け作業をすることなく、音楽と静止画を視聴することが可能となる。
【００５６】
以下に、ＪＰＥＧファイルが圧縮サムネイルを持つ場合の動作を説明する。図６に、前記非特許文献２の圧縮サムネイルを持つＥｘｉｆ形式のＪＰＥＧの内部構造を示す。同図において、符号６０１はＳＯＩ（Ｓｔａｒｔ  ｏｆ  Ｉｍａｇｅ）を示し、符号６０２はアプリケーション・マーカセグメントＡＰＰ１を示し、符号６０３は量子化テーブルＤＱＴ（Ｄｅｆｉｎｅ  Ｑｕａｎｔｉｚａｔｉｏｎ  Ｔａｂｌｅ）を示し、符号６０４はハフマンテーブルＤＨＴ（Ｄｅｆｉｎｅ  Ｈｕｆｆｎｍａｎ  Ｔａｂｌｅ）を示し、符号６０５はフレームヘッダＳＯＦ（Ｓｔａｒｔ  ｏｆ  Ｆｒａｍｅ）を示し、符号６０６はスキャンヘッダＳＯＳ（Ｓｔａｒｔ  ｏｆ  Ｓｃａｎ）を示し、符号６０７は圧縮データを示し、符号６０８はＥＯＩ（Ｅｎｄ  ｏｆ  Ｉｍａｇｅ）を示し、符号６０９〜６１７はＡＰＰ１の内部構造を示す。そして、符号６０９はＡＰＰ１  Ｍａｒｋｅｒを示し、符号６１０はＡＰＰ１  Ｌｅｎｇｔｈ、符号６１１はＥｘｉｆ識別コード（Ｅｘｉｆ）を示し、符号６１２はＴＩＦＦ  Ｈｅａｄｅｒを示す。
【００５７】
さらに、符号６１３は０ｔｈ  ＩＦＤを示し、符号６１４は０ｔｈ  ＩＦＤ  Ｖａｌｕｅ（ここではＥｘｉｆ  ＩＦＤ）を示し、符号６１５は１ｓｔ  ＩＦＤを示し、符号６１６は１ｓｔ  ＩＦＤ  Ｖａｌｕｅ、６１７は１ｓｔ  ＩＦＤ画像データであるＪＰＥＧサムネイルを示し、符号６１８〜６２４はＥｘｉｆ圧縮されたサムネイルのデータ構造を示し、符号６１８はＳＯＩを示し、符号６１９はＤＱＴを示し、符号６２０はＤＨＴを示し、符号６２１はＳＯＦを示し、符号６２２はＳＯＳ、符号６２３は圧縮データを示し、符号６２４はＥＯＩを示す。
【００５８】
図６より読みとれるように、アプリケーション・マーカセグメントＡＰＰ１６０２には最大２つのＩＦＤ（０ｔｈ  ＩＦＤ、１ｓｔ  ＩＦＤ）を記録できる。０ｔｈ  ＩＦＤには、圧縮された画像（主画像）に関する付属情報を記録し、１ｓｔ  ＩＦＤには、サムネイル画像を記録する。サムネイルは記録しなくても良いが、ハードウェア等の制限がない場合は、できる限り記録することが推奨されている。なお、規格上、サムネイルの画像サイズに制限はないが、サムネイルが格納されるＡＰＰ１のサイズには６４ｋＢｙｔｅの制限がある。そのため、一般に主画像より小さい画像サイズの画像がサムネイルとして用いられる。（例えば、市場に出ているデジタルカメラでは、主画像の画像サイズが１６００ｘ１２００に対し、サムネイルの画像サイズは１６０ｘ１２０、主画像の画像サイズが２５６０ｘ１９２０に対し、サムネイルの画像サイズは１６０ｘ１２０などとなっている。）
【００５９】
ＳＯＩ６０１および６１８は、圧縮データの先頭を示すマーカコード（ＦＦＤ８ｈ）である。ＡＰＰ１  Ｍａｒｋｅｒ６０９は、ＦＦＥ１ｈであり、ＡＰＰ１  Ｌｅｎｇｔｈは２バイトのフィールド長であり、Ｅｘｉｆ識別コード６１１は、Ｅｘｉｆであることを示す４バイトコート（’Ｅｘｉｆ’）＋２バイトの００００ｈである。
【００６０】
図７に、ＴＩＦＦ  Ｈｅａｄｅｒ６１２と０ｔｈ  ＩＦＤ６１３の内部のデータ構造を示す。同図において、符号７０１はＴＩＦＦ  Ｈｅａｄｅｒを示し、符号７０２は０ｔｈ  ＩＦＤを示し、符号７０３は１ｓｔ  ＩＦＤを示し、符号７０４はＢｙｔｅ  Ｏｒｄｅｒを示し、符号７０５は固定値を示し、符号７０６は０ｔｈ  ＩＦＤ  Ｏｆｆｓｅｔを示し、符号７０７はＮｕｍｂｅｒ  ｏｆ  Ｅｎｔｒｉｅｓを示し、符号７０８は各種タグを示し、符号７０９はＮｅｘｔ  ＩＦＤ  Ｏｆｆｓｅｔを示す。
【００６１】
ＴＩＦＦ  Ｈｅａｄｅｒ７０１は、記録時のデータがリトルエンディアン形式（４９４９ｈ）かビッグエンディアン形式（４Ｄ４Ｄｈ）かを示す２バイトのＢｙｔｅ  Ｏｒｄｅｒ７０４、２バイトの固定値７０５（００２Ａｈ）、０ｔｈ  ＩＦＤへのＴＩＦＦ  Ｈｅａｄｅｒ７０１の先頭からのオフセット位置を示す４バイトの０ｔｈ  ＩＦＤ  Ｏｆｆｓｅｔ７０６の合計８バイトで構成される。なお、０ｔｈ  ＩＦＤ７０２がＴＩＦＦ  Ｈｅａｄｅｒ７０１の直後に続く場合には、０ｔｈ  ＩＦＤ  Ｏｆｆｓｅｔ７０６の値は０００００００８ｈとなる。
【００６２】
０ｔｈ  ＩＦＤ７０２は、タグのエントリ数を示す２バイトのＮｕｍｂｅｒ  ｏｆ  Ｅｎｔｒｉｅｓ７０７とＮｕｍｂｅｒ  ｏｆ  Ｅｎｔｒｉｅｓ７０７に記述された個数の各種タグ７０８と、１ｓｔ  ＩＦＤへのＴＩＦＦ  Ｈｅａｄｅｒ７０１の先頭からのオフセット位置を示す２バイトのＮｅｘｔ  ＩＦＤ  Ｏｆｆｓｅｔ７０９から構成される。各種タグ７０８は、１２バイトで構成され、メーカー名、モデル名、Ｅｘｉｆ  ＩＦＤのオフセット位置などさまざまな情報が記述される。Ｎｅｘｔ  ＩＦＤ  Ｏｆｆｓｅｔ７０９は、１ｓｔ  ＩＦＤが存在しない場合、００００ｈとなる。
【００６３】
図６および図７より、請求項２記載のサムネイル判定器（マイクロプロセッサ）がＪＰＥＧファイルを先頭より順次解析し、０ｔｈ  ＩＦＤ７０２のＮｅｘｔ  ＩＦＤ  Ｏｆｆｓｅｔ７０９の値が００００ｈであるかどうかで、ＪＰＥＧファイルがサムネイルを持つかどうかを判定できる。００００ｈでない場合、ＪＰＥＧファイルがサムネイルを持つと判定し、静止画再生器１１１に６１８〜６２４の圧縮サムネイル画像データを供給することにより、前記サムネイル画像データをデコードし、表示画面１１２に表示する。
【００６４】
上述の方法により、（マイクロプロセッサのスペック不足や共有するメモリの帯域不足により）音声再生と同時に高解像度の主画像を表示することが難しい記録再生機器の場合であっても、主画像より画像サイズが小さいサムネイル画像を表示することにより、ユーザに静止画／音楽の同時再生を提供することができる。
【００６５】
図８に第２の静止画ファイル群を用いたスライドショーの例を示す。符号８０１、８０７、および８１５はＡＯＢ００１．ＳＡ１を示し、符号８０２、８０８、および８１６はＡＯＢ００２．ＳＡ１を示し、符号８０３、８０９、および８２０はＩＭＧＡ００１．ＪＰＧを示し、符号８０４、８１０、および８２２はＩＭＧＡ００２．ＪＰＧを示し、符号８０５、８１１、および８１９はＩＭＧＡ００３．ＪＰＧを示し、符号８０６、８１２、および８１７はＩＭＧＡ００４．ＪＰＧを示し、符号８１３および８２１はＩＭＧＡ００５．ＪＰＧを示し、符号８１４および８１８はＩＭＧＡ００６．ＪＰＧを示す。なお、ＡＯＢ００１．ＳＡ１〜ＡＯＢ００２．ＳＡ２は図１における音楽ファイル１０４に相当し、ＩＭＧＡ００１．ＪＰＧ〜ＩＭＧＡ００６．ＪＰＧは、図１における第２の静止画ファイル群１０６に相当する。
【００６６】
以下では、ユーザが選択した音楽ファイルの再生終了後、次の音楽ファイルが存在する場合、次の音楽ファイルの再生をユーザが選択することなく実行するという前提で説明する。また、ＡＯＢ００１．ＳＡ１の再生期間を３分３０秒、ＡＯＢ００２．ＳＡ１の再生時間を２分として説明を行う。また、ユーザが選択した音楽ファイルの再生開始時間を基準時刻０とする。
【００６７】
図８（ａ）および図８（ｂ）は音楽ファイルの再生と同時にファイル番号の小さい順に再生する場合を示す。図８（ａ）は、静止画再生時間間隔Ｔが音楽ファイルの再生時間に依存しない場合を示す。例えば、静止画再生時間間隔が機器固有に定義されている場合や、ユーザにタッチパネルなどで静止画再生時間間隔を設定させる場合である。なお、本発明ではユーザに静止画再生時間間隔を設定させる手段についてなんら制限を加えない。前記タッチパネル以外の方法であってもかまわない。ここでは、例として機器の静止画再生時間間隔が１分３０秒とする。
【００６８】
ＡＯＢ００１．ＳＡ１（符号８０１）の再生をユーザに選択されると、ＡＯＢ００１．ＳＡ１が音楽再生器１１０に読み込まれ、再生が開始される。同時にファイル番号の一番小さいＩＭＧＡ００１．ＪＰＧ８０３が静止画再生器１１１に読み込まれ、表示画面１１２に表示される。基準時刻から１分３０秒後、ＩＭＧＡ００２．ＪＰＧ８０４が静止画再生器１１１に読み込まれ、表示画面１１２に表示される。基準時刻から３分後、ＩＭＧＡ００３．ＪＰＧ８０５が静止画再生器１１１に読み込まれ、表示画面１１２に表示される。
【００６９】
基準時刻から３分３０秒後、ＡＯＢ００１．ＳＡ１の再生が終了し、ＡＯＢ００２．ＳＡ１（符号８０２）が音楽再生器１１０に読み込まれ、再生が開始される。基準時刻から４分３０秒後、ＩＭＧＡ００４．ＪＰＧ８０６が静止画再生器１１１に読み込まれ、表示画面１１２に表示される。基準時刻から５分３０秒後、ＡＯＢ００２．ＳＡ１の再生が終了し、音楽ファイルがないので、ＩＭＧＡ００４．ＪＰＧ８０６の再生を終了する。従って、ＩＭＧＡ００４．ＪＰＧの再生期間のみ（３分３０秒＋２分）−３＊１分３０秒＝１分となり、他の静止画の表示時間（静止画再生時間間隔Ｔ）より短くなる。
【００７０】
上述のように、一定の時間間隔Ｔ（例：１分３０秒）で、静止画ファイルを切り替えていくことで、簡易的なファイル番号順のスライドショーを実現できる。
【００７１】
図８（ｂ）に、静止画再生時間間隔Ｔが音楽ファイルの再生時間に依存する場合を示す。各音楽ファイルの再生時間は、図２に示した管理情報に記述されており、その値を参照する。ここでは、Ｔ＝音楽ファイルの再生時間／Ｎ（Ｎは１以上の整数）とし、Ｎは３として説明する。すなわち、ＡＯＢ００１．ＳＡ１再生中の静止画再生時間間隔Ｔ＝３分３０秒／３＝１分１０秒であり、ＡＯＢ００２．ＳＡ１再生中の静止画再生時間間隔Ｔ＝２分／３＝４０秒である。
【００７２】
ＡＯＢ００１．ＳＡ１（符号８０７）の再生をユーザに選択されると、ＡＯＢ００１．ＳＡ１が音楽再生器１１０に読み込まれ、再生される。同時にファイル番号の一番小さいＩＭＧＡ００１．ＪＰＧ８０９が静止画再生器１１１に読み込まれ、表示画面１１２に表示される。基準時刻から１分１０秒後、ＩＭＧＡ００２．ＪＰＧ８１０が静止画再生器１１１に読み込まれ、表示画面１１２に表示される。基準時刻から２分２０秒後、ＩＭＧＡ００３．ＪＰＧ８１０が静止画再生器１１１に読み込まれ、表示画面１１２に表示される。
【００７３】
基準時刻から３分３０秒後、ＡＯＢ００１．ＳＡ１の再生が終了し、ＡＯＢ００２．ＳＡ１（符号８０８）が音楽再生器１１０に読み込まれ、再生が開始される。同時にＩＭＧＡ００４．ＪＰＧ８１２が静止画再生器１１１に読み込まれ、表示画面１１２に表示される。基準時刻から４分１０秒後、ＩＭＧＡ００５．ＪＰＧ８１３が静止画再生器１１１に読み込まれ、表示画面１１２に表示される。基準時刻から４分５０秒後、ＩＭＧＡ００６．ＪＰＧ８１４が静止画再生器１１１に読み込まれ、表示画面１１２に表示される。基準時刻から５分３０秒後ＡＯＢ００２．ＳＡ１の再生が終了し、同時に、ＩＭＧＡ００６．ＪＰＧ８１４の再生を終了する。
【００７４】
上述のように、静止画再生時間間隔Ｔを音楽ファイルの再生時間／Ｎとすることで、音楽ファイル単位で等間隔に静止画を再生可能なファイル番号順のスライドショーを実現でき、図８（ａ）に示した場合よりも見栄えが良い。
【００７５】
なお、全表示枚数よりも静止画ファイル数が少ない場合（図８（ａ）では（３分３０秒＋２分）／１分３０秒＝４枚（小数点以下切り上げ）より静止画ファイルが少ない場合、図８（ｂ）では２曲＊３枚＝６枚より静止画ファイルが少ない場合）、再度ＩＭＧＡ００１．ＪＰＧから順次静止画を表示することとする。
【００７６】
図８（ｃ）には、図８（ｂ）がファイル番号順に表示していたのに対し、ランダム順に表示する場合を示す。なお、ランダム順の表示は、図８（ａ）に示したケースでも実行できるが、ここでは省略する。ここでは、静止画ファイルのファイル番号の最大値を００６とし、以下で使用する擬似乱数Ｒの最大値はファイル番号の最大値６に等しいものとする。なお、本発明では擬似乱数Ｒの生成方法については、関知しない。モンテカルロ法であっても良いし、線形合同法であってもかまわない。
【００７７】
ＡＯＢ００１．ＳＡ１（符号８１５）の再生をユーザに選択されると、ＡＯＢ００１．ＳＡ１が音楽再生器１１０に読み込まれ、再生される。同時に擬似乱数Ｒを生成し、生成された擬似乱数Ｒが４であった場合、ＩＭＧＡ００４．ＪＰＧ８１７が静止画再生器１１１に読み込まれ、表示画面１１２に表示される。基準時刻から１分１０秒後、擬似乱数Ｒを生成し、生成された擬似乱数Ｒが６であった場合、ＩＭＧＡ００６．ＪＰＧ８１８が静止画再生器１１１に読み込まれ、表示画面１１２に表示される。
【００７８】
基準時刻から２分２０秒後、擬似乱数Ｒを生成し、生成された擬似乱数Ｒが３であった場合、ＩＭＧＡ００３．ＪＰＧ８１９が静止画再生器１１１に読み込まれ、表示画面１１２に表示される。基準時刻から３分３０秒後、ＡＯＢ００１．ＳＡ１の再生が終了し、ＡＯＢ００２．ＳＡ１（符号８１６）が音楽再生器１１０に読み込まれ、再生が開始される。同時に擬似乱数Ｒを生成し、生成された擬似乱数Ｒが１であった場合、ＩＭＧＡ００１．ＪＰＧ８２０が静止画再生器１１１に読み込まれ、表示画面１１２に表示される。
【００７９】
基準時刻から４分１０秒後、擬似乱数Ｒを生成し、生成された擬似乱数Ｒが５であった場合、ＩＭＧＡ００５．ＪＰＧ８２１が静止画再生器１１１に読み込まれ、表示画面１１２に表示される。基準時刻から４分５０秒後、擬似乱数Ｒを生成し、生成された擬似乱数Ｒが２であった場合、ＩＭＧＡ００２．ＪＰＧ８２２が静止画再生器１１１に読み込まれ、表示画面１１２に表示される。基準時刻から５分３０秒後ＡＯＢ００２．ＳＡ１の再生が終了し、同時に、ＩＭＧＡ００２．ＪＰＧ８２２の再生を終了する。
【００８０】
上述のように、ファイル番号の最大値までの擬似乱数Ｒを生成することでランダムに静止画を表示することができる。
【００８１】
なお、図８（ｃ）では既に使われた乱数値が出ていない場合を示したが、既に使われた乱数値が出てもかまわない。その場合、ある静止画ファイルは複数回表示されることとなる。また、既に使われた乱数値であるかどうかを静止画ファイルの枚数分のフラグで管理し、フラグがＨ（既に使われている）の場合、再度擬似乱数Ｒを生成しなおしてもかまわない。フラグを利用する場合、全表示枚数よりも静止画ファイル数が少ない場合（図８（ｂ）では２曲＊３枚＝６枚より静止画ファイルが少ない場合）、全フラグがＨになったら、フラグをクリアする。
【産業上の利用可能性】
【００８２】
音楽再生機能付きカメラ、あるいは音楽再生機能およびカメラ機能付き携帯電話、あるいは半導体メモリカードを利用した静止画記録再生機能および音楽再生機能を具備する融合機能商品において、本発明を利用することができる。
【図面の簡単な説明】
【００８３】
【図１】本発明における実施の形態に係る記録再生機器の構成を示すブロック図
【図２】従来技術による音楽ファイルと静止画ファイルの関連の説明図
【図３】半導体メモリカードにおけるディレクトリ／ファイル構成例を示す説明図
【図４】ＤＰＬＩ＿ＰＯＢ＿ＳＲＰ、ＰＬＩ＿ＰＯＢ＿ＳＲＰ、ＴＫＩ＿ＰＯＢ＿ＳＲＰのデータ構造を示す説明図
【図５】ＰＯＢファイルの内部構造を示す説明図
【図６】圧縮サムネイルを持つＥｘｉｆ形式のＪＰＥＧの内部構造を示す説明図
【図７】ＴＩＦＦ  Ｈｅａｄｅｒと０ｔｈ  ＩＦＤのデータ構造を示す説明図
【図８】第２の静止画ファイル群を用いたスライドショーの例を示す説明図
【符号の説明】
【００８４】
１０１  記録再生機器
１０２  半導体メモリカード
１０３  音楽静止画関連情報
１０４  音楽ファイル
１０５  第１の静止画ファイル群
１０６  第２の静止画ファイル群
１０７  撮影レンズ
１０８  撮像素子
１０９  静止画記録器
１１０  音楽再生器
１１１  静止画再生器
１１２  表示画面
２０１  ＰＬＭＧ
２０２  ＤＰＬＩ
２０３  ＰＬＩ
２０４  ＤＰＬＧＩ
２０５、２０６、２０７  ＤＰＬ＿ＴＫ＿ＳＲＰ
２０８  ＤＰＬＩ＿ＰＯＢ＿ＳＲＰ
２０９  ＰＬＧＩ
２１０、２１１  ＰＬ＿ＴＫ＿ＳＲＰ
２１２  ＰＬＩ＿ＰＯＢ＿ＳＲＰ
２１３  ＴＫＭＧ
２１４、２１５、２１６  ＴＫＩ
２１７、２１８、２１９  ＴＫＩ＿ＰＯＢ＿ＳＲＰ
２２０  ＡＯＢ００１．ＳＡ１
２２１  ＡＯＢ００２．ＳＡ２
２２２  ＡＯＢ００３．ＳＡ３
２２３、２２４、２２５             ＡＯＢ
２２６  ＰＯＢ０２０．ＳＰ１
２２７  ＰＯＢ００１．ＳＰ１
２２８  ＰＯＢ００２．ＳＰ２
２２９  ＰＯＢ０３０．ＪＰＧ
２３０、２３１、２３２、２３３  ＰＯＢ
３０１、３１４  ルートディレクトリ
３０２  ＳＤ＿ＡＵＤＩＯディレクトリ
３０３  ＳＤ＿ＡＵＤＩＯ．ＰＬＭ
３０４  ＳＤ＿ＡＵＤＩＯ．ＴＫＭ
３０５  ＡＯＢ００１．ＳＡ１
３０６  ＡＯＢｘｘｘ．ＳＡ１
３０７  ＰＯＢ００１．ＳＰ１
３０８  ＰＯＢ０１９．ＳＰ１
３０９  ＰＯＢ０２０．ＳＰ１
３１０  ＰＯＢ０２９．ＳＰ１
３１１  ＰＯＢ０３０．ＪＰＧ
３１２  ＰＯＢ０３９．ＪＰＧ
３１３  ＰＯＢ０００．ＰＯＭ
３１５  ＤＣＦイメージルートディレクトリ（ＤＣＩＭディレクトリ）
３１６  ＤＣＦディレクトリ（”１００ＸＸＸＸＸ”ディレクトリ）
３１７、３１８  ＤＣＦファイル（ＡＡＡＡ０００１．ＪＰＧ、ＡＡＡＡｘｘｘｘ．ＪＰＧ）
４０１  ＰＯＢ  Ｎｏ．
４０２  Ｎｕｍｂｅｒ  Ｏｆ  Ｐｉｘｅｌｓ
４０３  Ｈｕｆｆｍａｎ  Ｔａｂｌｅ
４０４  Ｃｈｒｏｍｉｎａｎｃｅ  Ｓａｍｐｌｉｎｇ
４０５  Ｐｉｃｔｕｒｅ  Ｃｏｄｉｎｇ  Ｍｏｄｅ
５０１  ＰＯＢＸＸＸ．ＪＰＧ
５０２  非暗号化ＰＯＢ
５０３、５０６  ＰＯＢＸＸＸ．ＳＰ１
５０４、５０７  ＰＯＢ＿Ｈ
５０５  暗号化ＰＯＢ
５０８  参照先ファイルパス
５０９  ＰＯＢ＿Ｈの詳細構造
５１０  ＰＯＢ＿ＡＴＲビット
６０１、６１８  ＳＯＩ
６０２  ＡＰＰ１
６０３、６１９  ＤＱＴ
６０４、６２０  ＤＨＴ
６０５、６２１  ＳＯＦ
６０６、６２２  ＳＯＳ
６０７、６２３  Ｃｏｍｐｒｅｓｓｅｄ  Ｄａｔａ（圧縮データ）
６０８、６２４  ＥＯＩ
６０９  ＡＰＰ１  Ｍａｒｋｅｒ
６１０  ＡＰＰ１  Ｌｅｎｇｔｈ
６１１  Ｅｘｉｆ識別データ（’Ｅｘｉｆ’）
６１２  ＴＩＦＦ  Ｈｅａｄｅｒ
６１３  ０ｔｈ  ＩＦＤ
６１４  ０ｔｈ  ＩＦＤ  Ｖａｌｕｅ（Ｅｘｉｆ  ＩＦＤ）
６１５  １ｓｔ  ＩＦＤ
６１６  １ｓｔ  ＩＦＤ  Ｖａｌｕｅ
６１７  ＪＰＥＧ  Ｔｈｕｍｂｎａｉｌ
７０１  ＴＩＦＦ  Ｈｅａｄｅｒ
７０２  ０ｔｈ  ＩＦＤ
７０３  １ｔｈ  ＩＦＤ
７０４  Ｂｙｔｅ  Ｏｒｄｅｒ
７０５  固定値
７０６  ０ｔｈ  ＩＦＤ  Ｏｆｆｓｅｔ
７０７  Ｎｕｍｂｅｒ  ｏｆ  Ｅｎｔｒｉｅｓ
７０８  各種タグ
７０９  Ｎｅｘｔ  ＩＦＤ  Ｏｆｆｓｅｔ
８０１、８０７、８１５  ＡＯＢ００１．ＳＡ１
８０２、８０８、８１６  ＡＯＢ００２．ＳＡ１
８０３、８０９、８２０  ＩＭＧＡ００１．ＪＰＧ
８０４、８１０、８２２  ＩＭＧＡ００２．ＪＰＧ
８０５、８１１、８１９  ＩＭＧＡ００３．ＪＰＧ
８０６、８１２、８１７  ＩＭＧＡ００４．ＪＰＧ
８１３、８２１  ＩＭＧＡ００５．ＪＰＧ
８１４、８１８  ＩＭＧＡ００６．ＪＰＧ
【図１】
2006067269.tif 000003
【図２】
2006067269.tif 000004
【図３】
2006067269.tif 000005
【図４】
2006067269.tif 000006
【図５】
2006067269.tif 000007
【図６】
2006067269.tif 000008
【図７】
2006067269.tif 000009
【図８】
2006067269.tif 000010